(57)【要約】  この出願の実施形態は、バッテリ内部の漏れ電流を検査するための、バッテリ漏れ電流検査方法、装置及び回路を開示し、バッテリ分野に関する。バッテリ漏れ電流検査方法は、電力アダプタが電力を電子デバイスに供給するとき、電力を電子デバイスに供給するのを停止するようにバッテリを制御するステップと、電圧パラメータ及び持続時間パラメータを取得するステップであり、電圧パラメータは、2つの異なる時点におけるバッテリの電圧の間の差であり、持続時間パラメータは、2つの異なる時点の間の持続時間である、ステップと、電圧パラメータ及び持続時間パラメータに基づいて、バッテリの漏れパラメータが予め設定された条件を満たすか否かを決定するステップとを含む。この出願の実施形態は、バッテリ漏れ電流検査に適用される。
2020507063.tif 000002
【特許請求の範囲】
【請求項１】
バッテリ漏れ電流検査方法であり、バッテリは電子デバイスに取り付けられ、電力を前記電子デバイスに供給するように構成される、方法であって、
前記電子デバイスにより、電力アダプタが電力を前記電子デバイスに供給するとき、電力を前記電子デバイスに供給するのを停止するように前記バッテリを制御するステップと、
前記電子デバイスにより、電圧パラメータ及び持続時間パラメータを取得するステップであり、前記電圧パラメータは、2つの異なる時点における前記バッテリの電圧の間の差であり、前記持続時間パラメータは、前記2つの異なる時点の間の持続時間である、ステップと、
前記電子デバイスにより、前記電圧パラメータ及び前記持続時間パラメータに基づいて、前記バッテリの漏れパラメータが予め設定された条件を満たすか否かを決定するステップと
を含む方法。
【請求項２】
前記電子デバイスにより、前記電圧パラメータ及び前記持続時間パラメータに基づいて、前記バッテリの漏れパラメータが予め設定された条件を満たすか否かを決定するステップは、
前記電子デバイスにより、前記持続時間パラメータに対する前記電圧パラメータの比が予め設定された閾値未満であるか否かを決定するステップと、
前記電子デバイスにより、前記持続時間パラメータに対する前記電圧パラメータの前記比が前記予め設定された閾値未満であるとき、前記バッテリの前記漏れパラメータが前記予め設定された条件を満たすと決定するステップと
を含む、請求項１に記載の方法。
【請求項３】
前記電子デバイスにより、前記電力アダプタが電力を前記電子デバイスに供給するのを停止したとき、電力を前記電子デバイスに供給するように前記バッテリを制御するステップを更に含む、請求項１又は２に記載の方法。
【請求項４】
前記電子デバイスにより、前記バッテリの前記漏れパラメータが前記予め設定された条件を満たさないと決定したとき、プロンプト情報を出力するステップを更に含む、請求項１乃至３のうちいずれか１項に記載の方法。
【請求項５】
前記プロンプト情報は、以下の情報、すなわち、音声情報、テキスト情報、画像情報、振動情報又は光情報のうち少なくとも1つを含む、請求項４に記載の方法。
【請求項６】
前記電子デバイスにより、前記バッテリの前記漏れパラメータが前記予め設定された条件を満たさないと決定したとき、前記漏れパラメータをサーバに送信するステップを更に含む、請求項１乃至５のうちいずれか１項に記載の方法。
【請求項７】
バッテリ漏れ電流検査装置であり、バッテリは電子デバイスに取り付けられ、電力を前記電子デバイスに供給するように構成される、バッテリ漏れ電流検査装置であって、
電力アダプタが電力を前記電子デバイスに供給するとき、電力を前記電子デバイスに供給するのを停止するように前記バッテリを制御するように構成された制御ユニットと、
電圧パラメータ及び持続時間パラメータを取得するように構成された取得ユニットであり、前記電圧パラメータは、2つの異なる時点における前記バッテリの電圧の間の差であり、前記持続時間パラメータは、前記2つの異なる時点の間の持続時間である、取得ユニットと、
前記電圧パラメータ及び前記持続時間パラメータに基づいて、前記バッテリの漏れパラメータが予め設定された条件を満たすか否かを決定するように構成された決定ユニットと
を含む装置。
【請求項８】
前記決定ユニットは、
前記持続時間パラメータに対する前記電圧パラメータの比が予め設定された閾値未満であるか否かを決定し、
前記持続時間パラメータに対する前記電圧パラメータの前記比が前記予め設定された閾値未満であるとき、前記バッテリの前記漏れパラメータが前記予め設定された条件を満たすと決定するように具体的に構成される、請求項７に記載の装置。
【請求項９】
前記制御ユニットは、前記電力アダプタが電力を前記電子デバイスに供給するのを停止したとき、電力を前記電子デバイスに供給するように前記バッテリを制御するように更に構成される、請求項７又は８に記載の装置。
【請求項１０】
前記バッテリの前記漏れパラメータが前記予め設定された条件を満たさないとき、プロンプト情報を出力するように構成された出力ユニットを更に含む、請求項７乃至９のうちいずれか１項に記載の装置。
【請求項１１】
前記プロンプト情報は、以下の情報、すなわち、音声情報、テキスト情報、画像情報、振動情報又は光情報のうち少なくとも1つを含む、請求項１０に記載の装置。
【請求項１２】
前記バッテリの前記漏れパラメータが前記予め設定された条件を満たさないとき、前記漏れパラメータをサーバに送信するように構成された送信ユニットを更に含む、請求項７乃至１１のうちいずれか１項に記載の装置。
【請求項１３】
プロセッサと、メモリと、バスと、通信インターフェースとを含むバッテリ漏れ電流検査装置であって、
前記メモリは、コンピュータ実行命令を記憶するように構成され、
前記プロセッサは、前記バスを使用することにより前記メモリに接続され、
前記バッテリ漏れ電流検査装置が動作するとき、前記プロセッサは、前記メモリに記憶された前記コンピュータ実行命令を実行し、それにより、前記バッテリ漏れ電流検査装置は、請求項１乃至６のうちいずれか１項に記載のバッテリ漏れ電流検査方法を実行する、バッテリ漏れ電流検査装置。
【請求項１４】
命令を含むコンピュータ記憶媒体であって、
前記コンピュータ記憶媒体がコンピュータ上で動作するとき、前記コンピュータは、請求項１乃至６のうちいずれか１項に記載のバッテリ漏れ電流検査方法を実行する、コンピュータ記憶媒体。
【請求項１５】
命令を含むコンピュータプログラムプロダクトであって、
前記コンピュータプログラムプロダクトがコンピュータ上で動作するとき、前記コンピュータは、請求項１乃至６のうちいずれか１項に記載のバッテリ漏れ電流検査方法を実行する、コンピュータプログラムプロダクト。
【請求項１６】
電子デバイスに配置されたバッテリ漏れ電流検査回路であり、電気メータと、バッテリと、第1のスイッチと、充電チップと、コントローラとを含む検査回路であって、
前記電気メータは、前記バッテリ及び前記コントローラに電気的に接続され、前記電気メータは、前記バッテリの電圧を取得し、前記取得されたバッテリ電圧を前記コントローラに送信するように構成され、
前記充電チップは、前記電子デバイスの負荷及び前記バッテリに電気的に接続され、前記充電チップは、電力アダプタから電力供給を受け取り、電力を前記負荷に供給して前記バッテリを充電するように構成され、
前記第1のスイッチは、前記充電チップ、前記バッテリ及び前記負荷に電気的に接続され、
前記第1のスイッチがオンになったとき、前記バッテリは、前記充電チップに電気的に接続され、前記バッテリは、前記負荷に電気的に接続され、
前記第1のスイッチがオフになったとき、前記バッテリは、前記充電チップから電気的に切断され、前記バッテリは、前記負荷から電気的に切断され、
前記コントローラは、前記電力アダプタが前記充電チップを使用して電力を前記負荷に供給するとき、前記第1のスイッチをオフに制御し、前記第1のスイッチがオフになったとき、電圧パラメータ及び持続時間パラメータを取得し、前記電圧パラメータ及び前記持続時間パラメータに基づいて、前記バッテリの漏れパラメータが予め設定された条件を満たすか否かを決定し、
前記電圧パラメータは、2つの異なる時点における前記バッテリの電圧の間の差であり、前記持続時間パラメータは、前記2つの異なる時点の間の持続時間である、検査回路。
【請求項１７】
前記コントローラは、
前記持続時間パラメータに対する前記電圧パラメータの比が予め設定された閾値未満であるか否かを決定し、
前記持続時間パラメータに対する前記電圧パラメータの前記比が前記予め設定された閾値未満であるとき、前記バッテリの前記漏れパラメータが前記予め設定された条件を満たすと決定するように更に構成される、請求項１６に記載の検査回路。
【請求項１８】
前記第1のスイッチは、前記電力アダプタが前記充電チップから電気的に切断されたとき、前記バッテリが前記負荷に電気的に接続可能になるように更に構成される、請求項１６又は１７に記載の検査回路。
【請求項１９】
前記コントローラは、前記バッテリの前記漏れパラメータが前記予め設定された条件を満たさないと決定したとき、プロンプト情報を出力するように更に構成される、請求項１６乃至１８のうちいずれか１項に記載の検査回路。
【請求項２０】
前記プロンプト情報は、以下の情報、すなわち、音声情報、テキスト情報、画像情報、振動情報、光情報等のうち少なくとも1つを含む、請求項１９に記載の検査回路。
【請求項２１】
前記コントローラは、前記バッテリの前記漏れパラメータが前記予め設定された条件を満たさないと決定したとき、前記漏れパラメータをサーバに送信するように更に構成される、請求項１６乃至２０のうちいずれか１項に記載の検査回路。
【発明の詳細な説明】
【技術分野】
【０００１】
［関連出願への相互参照］
この出願は、2016年12月30日に中国特許庁に提出された「BATTERY  SAFETY  CHECK  METHOD」という名称の中国特許出願第201611264805.2号の優先権を主張し、その全内容を参照により援用する。
【０００２】
［技術分野］
この出願は、バッテリ分野に関し、特にバッテリ漏れ電流検査方法、装置及び回路に関する。
【背景技術】
【０００３】
現在、バッテリの安全性は、携帯電話のような電子デバイスの安全性に影響を与える重要な要素となっており、バッテリの安全性は携帯電話製造者の焦点となっている。従来技術では、バッテリの過充電、過放電、過熱等は、バッテリの充電/放電電圧、充電/放電電流等を検出することにより検査される。しかし、バッテリ内部の漏れ電流を検査するための適切な解決策はほとんど存在しない。
【発明の概要】
【０００４】
この出願の実施形態は、バッテリ内部の漏れ電流を検査するための、バッテリ漏れ電流検査方法、装置及び回路を提供する。
【０００５】
上記の目的を達成するために、以下の技術的解決策がこの出願の実施形態において使用される。
【０００６】
第1の態様によれば、この出願のいくつかの実施形態はバッテリ漏れ電流検査方法を提供し、バッテリは電子デバイスに取り付けられ、電力を電子デバイスに供給するように構成され、当該方法は、電力アダプタが電力を電子デバイスに供給するとき、電力を電子デバイスに供給するのを停止するようにバッテリを制御するステップと、電圧パラメータ及び持続時間パラメータを取得するステップであり、電圧パラメータは、2つの異なる時点におけるバッテリの電圧の間の差であり、持続時間パラメータは、2つの異なる時点の間の持続時間である、ステップと、次いで、電圧パラメータ及び持続時間パラメータに基づいて、バッテリの漏れパラメータが予め設定された条件を満たすか否かを決定するステップとを含む。この出願のこの実施形態において提供されるバッテリ漏れ電流検査方法によれば、バッテリ内の漏れ電流を検査し、過度に高い漏れ電流のためバッテリが故障すること、例えば、発火することを防止するために、バッテリが外部電力を供給するのを停止したとき、或る期間の後のバッテリの正極と負極との間の電圧降下及び当該期間に基づいて、バッテリの漏れパラメータが予め設定された条件を満たすか否かが決定される。
【０００７】
可能な設計では、電圧パラメータ及び持続時間パラメータに基づいて、バッテリの漏れパラメータが予め設定された条件を満たすか否かを決定するステップは、持続時間パラメータに対する電圧パラメータの比が予め設定された閾値未満であるか否かを決定するステップと、持続時間パラメータに対する電圧パラメータの比が予め設定された閾値未満であるとき、バッテリの漏れパラメータが予め設定された条件を満たすと決定するステップとを含む。当該設計は、バッテリの漏れパラメータが予め設定された条件を満たすか否かを決定する方式を提供する。
【０００８】
可能な設計では、当該方法は、電力アダプタが電力を電子デバイスに供給するのを停止したとき、電力を電子デバイスに供給するようにバッテリを制御するステップを更に含む。当該設計は、中断のない電力供給を電子デバイスに提供する。
【０００９】
可能な設計では、当該方法は、バッテリの漏れパラメータが予め設定された条件を満たさないと決定したとき、プロンプト情報を出力するステップを更に含む。当該設計によれば、バッテリが故障している可能性があることをユーザに適時に促し、それにより、バッテリ火災のような故障を回避することにより使用の安全性を確保することが便利になる。
【００１０】
可能な設計では、プロンプト情報は、以下の情報、すなわち、音声情報、テキスト情報、画像情報、振動情報又は光情報のうち少なくとも1つを含む。当該設計は、プロンプト情報の可能な実現方式を具体的に開示する。
【００１１】
可能な設計では、当該方法は、バッテリの漏れパラメータが予め設定された条件を満たさないと決定したとき、漏れパラメータをサーバに送信するステップを更に含む。当該設計によれば、電子デバイスの製造者が電子デバイスの故障情報を収集し、それにより、故障原因を分析し、製品の性能を改善することが便利になる。
【００１２】
可能な設計では、電力アダプタが電力を電子デバイスに供給するのを停止したとき、バッテリ漏れ電流検査が停止又は継続してもよい。当該設計は、バッテリ漏れ電流検査を終了するためのより柔軟な条件を提供する。
【００１３】
可能な設計では、バッテリ漏れ電流検査方法をトリガするための条件は、バッテリ充電が完了してバッテリの電気が一杯になった後若しくはバッテリ充電中、ユーザが現在若しくは長時間操作しない場合に電子デバイスがスタンバイ状態に入ったと決定されたとき、電力アダプタが電子デバイスに接続されて電力を電子デバイスに供給するとき、ユーザがユーザインターフェース(user  interface,  UI)を使用することによりバッテリ漏れ電流検査を実行するのを開始するためのコマンドを入力したとき、又は週、月若しくは年のような周期的間隔を含むが、これらに限定されない。当該設計は、バッテリ漏れ電流検査を実行するのを開始するより柔軟な機会を提供する。
【００１４】
第2の態様によれば、この出願のいくつかの実施形態はバッテリ漏れ電流検査装置を提供し、検査対象のバッテリは電子デバイスに取り付けられ、電力を電子デバイスに供給するように構成され、バッテリ漏れ電流検査装置は、電力アダプタが電力を電子デバイスに供給するとき、電力を電子デバイスに供給するのを停止するようにバッテリを制御するように構成された制御ユニットと、電圧パラメータ及び持続時間パラメータを取得するように構成された取得ユニットであり、電圧パラメータは、2つの異なる時点におけるバッテリの電圧の間の差であり、持続時間パラメータは、2つの異なる時点の間の持続時間である、取得ユニットと、電圧パラメータ及び持続時間パラメータに基づいて、バッテリの漏れパラメータが予め設定された条件を満たすか否かを決定するように構成された決定ユニットとを含む。
【００１５】
この出願のこの実施形態において提供されるバッテリ漏れ電流検査装置によれば、バッテリ内の漏れ電流を検査し、過度に高い漏れ電流のためバッテリが故障すること、例えば、発火することを防止するために、バッテリが外部電力を供給するのを停止したとき、或る期間の後のバッテリの正極と負極との間の電圧降下及び当該期間に基づいて、バッテリの漏れパラメータが予め設定された条件を満たすか否かが決定される。同じ発明概念に基づいて、当該装置が問題を解決する原理及び有利な効果について、第1の態様、第1の態様の可能な方法の実現方式及びもたらされる有利な効果を参照する。したがって、当該装置の実現方式について、第1の態様及び第1の態様の可能な方法の実現方式を参照する。詳細はここでは繰り返し説明しない。
【００１６】
第3の態様によれば、この出願のいくつかの実施形態はバッテリ漏れ電流検査装置を提供し、プロセッサと、メモリと、バスと、通信インターフェースとを含み、メモリは、コンピュータ実行命令を記憶するように構成され、プロセッサは、バスを使用することによりメモリに接続され、バッテリ漏れ電流検査装置が動作するとき、プロセッサは、メモリに記憶されたコンピュータ実行命令を実行し、それにより、ネットワークデバイスは、第1の態様及び第1の態様の可能な方法の実現方式のうちいずれか1つによるバッテリ漏れ電流検査方法を実行する。同じ発明概念に基づいて、プロセッサは、第1の態様の方法の設計における解決策を実現するために、メモリに記憶された命令を呼び出す。当該装置が問題を解決する実現方式及び有利な効果について、第1の態様及び第1の態様の可能な方法の実現方式並びに有利な効果を参照する。したがって、当該端末の実現方式について、当該方法の実現方式を参照する。詳細はここでは繰り返し説明しない。
【００１７】
第4の態様によれば、この出願のいくつかの実施形態は、命令を含むコンピュータ記憶媒体を提供し、コンピュータ記憶媒体がコンピュータ上で動作するとき、コンピュータは、第1の態様によるバッテリ漏れ電流検査方法を実行する。
【００１８】
第5の態様によれば、この出願のいくつかの実施形態は、命令を含むコンピュータプログラムプロダクトを提供し、コンピュータプログラムプロダクトがコンピュータ上で動作するとき、コンピュータは、第1の態様によるバッテリ漏れ電流検査方法を実行する。
【００１９】
第6の態様によれば、この出願のいくつかの実施形態は、電子デバイスに配置されたバッテリ漏れ電流検査回路を提供し、当該回路は、電気メータと、バッテリと、第1のスイッチと、充電チップと、コントローラとを含み、電気メータは、バッテリ及びコントローラに電気的に接続され、電気メータは、バッテリの電圧を取得し、取得されたバッテリ電圧をコントローラに送信するように構成され、充電チップは、電子デバイスの負荷及びバッテリに電気的に接続され、充電チップは、電力アダプタから電力供給を受け取り、電力を負荷に供給してバッテリを充電するように構成され、第1のスイッチは、充電チップ、バッテリ及び負荷に電気的に接続され、第1のスイッチがオンになったとき、バッテリは、充電チップに電気的に接続され、バッテリは、負荷に電気的に接続され、第1のスイッチがオフになったとき、バッテリは、充電チップから電気的に切断され、バッテリは、負荷から電気的に切断され、コントローラは、電力アダプタが充電チップを使用して電力を負荷に供給するとき、第1のスイッチをオフに制御し、第1のスイッチがオフになったとき、電圧パラメータ及び持続時間パラメータを取得し、電圧パラメータ及び持続時間パラメータに基づいて、バッテリの漏れパラメータが予め設定された条件を満たすか否かを決定し、電圧パラメータは、2つの異なる時点におけるバッテリの電圧の間の差であり、持続時間パラメータは、2つの異なる時点の間の持続時間である。この出願のこの実施形態において提供されるバッテリ漏れ電流検査回路によれば、バッテリ内の漏れ電流を検査し、過度に高い漏れ電流のためバッテリが故障すること、例えば、発火することを防止するために、バッテリが外部電力を供給するのを停止したとき、或る期間の後のバッテリの正極と負極との間の電圧降下及び当該期間に基づいて、バッテリの漏れパラメータが予め設定された条件を満たすか否かが決定される。同じ発明概念に基づいて、当該回路が問題を解決する原理及び有利な効果について、第1の態様、第1の態様の可能な方法の実現方式及びもたらされる有利な効果を参照する。したがって、当該回路の実現方式について、第1の態様及び第1の態様の可能な方法の実現方式を参照する。詳細はここでは繰り返し説明しない。
【００２０】
さらに、第3〜第5の態様における設計方式のうちいずれか1つによりもたらされる技術的効果について、第1の態様における異なる設計方式によりもたらされる技術的効果を参照する。詳細はここでは繰り返し説明しない。
【図面の簡単な説明】
【００２１】
この出願の実施形態における技術的解決策をより明確に説明するために、以下に、実施形態又は従来技術に必要な添付図面を簡単に説明する。
【図１】この出願のいくつかの実施形態による電子デバイスの概略構造図である。
【図２】この出願のいくつかの実施形態によるバッテリ漏れ電流検査回路の概略構造図である。
【図３】この出願のいくつかの実施形態による他のバッテリ漏れ電流検査回路の概略構造図である。
【図４】この出願のいくつかの実施形態による更に他のバッテリ漏れ電流検査回路の概略構造図である。
【図５】この出願のいくつかの実施形態に従ってバッテリが電力を負荷に供給するバッテリ漏れ電流検査回路の概略構造図である。
【図６】この出願のいくつかの実施形態によるバッテリ漏れ電流検査方法の概略フローチャートである。
【図７】この出願のいくつかの実施形態によるバッテリ漏れ電流検査回路の概略構造図である。
【図８】この出願のいくつかの実施形態による他のバッテリ漏れ電流検査方法の概略フローチャートである。
【図９】この出願のいくつかの実施形態による更に他のバッテリ漏れ電流検査方法の概略フローチャートである。
【図１０】この出願のいくつかの実施形態による画像情報であるプロンプト情報の概略図である。
【図１１】この出願のいくつかの実施形態による画像情報であるプロンプト情報の他の概略図である。
【図１２】この出願のいくつかの実施形態によるバッテリ漏れ電流検査装置の概略構造図である。
【図１３】この出願のいくつかの実施形態による他のバッテリ漏れ電流検査装置の概略構造図である。
【図１４】この出願のいくつかの実施形態による更に他のバッテリ漏れ電流検査装置の概略構造図である。
【発明を実施するための形態】
【００２２】
以下に、添付図面を参照して、この出願の実施形態について説明する。
【００２３】
この出願の実施形態に記載される漏れ電流は、自然配置状態にあり且つ外部電力消費回路に接続されていないバッテリにより実行される自己放電を示す。時間が経過すると、バッテリの正極と負極との間の電圧差は次第に減少する。この出願の実施形態において提供されるバッテリ漏れ電流検査方法、装置及び回路は、バッテリの正極と負極との間の電圧降下を使用することにより、漏れ電流が深刻であるか否かを決定するために使用される。
【００２４】
図１に示すように、図１は、この出願のいくつかの実施形態による電子デバイス800のハードウェアの概略構造図である。電子デバイス800は、少なくとも1つのプロセッサ801と、通信バス802と、メモリ803と、少なくとも1つの通信インターフェース804と、バッテリ漏れ電流検査回路805とを含む。
【００２５】
プロセッサ801は、汎用中央処理装置(central  processing  unit,  CPU)、マイクロプロセッサ、特定用途向け集積回路(application-specific  integrated  circuit,  ASIC)、又はこの出願における解決策のプログラム実行を制御するように構成された1つ以上の集積回路でもよい。
【００２６】
通信バス802は、上記のコンポーネントの間で情報が送信されるパスを含んでもよい。
【００２７】
メモリ803は、読み取り専用メモリ(read-only  memory,  ROM)又は静的情報及び命令を記憶し得る他のタイプの静的記憶デバイス、ランダムアクセスメモリ(random  access  memory,  RAM)又は情報及び命令を記憶し得る他のタイプの動的記憶デバイスでもよく、或いは電気的消去可能プログラム可能読み取り専用メモリ(electrically  erasable  programmable  read-only  memory,  EEPROM)、コンパクトディスク読み取り専用メモリ(compact  disc  read-only  memory,  CD-ROM)若しくは他のコンパクトディスクストレージ、光ディスクストレージ(コンパクトディスク、レーザディスク、光ディスク、デジタル多目的ディスク、ブルーレイディスク等を含む)、磁気ディスク記憶媒体若しくは他の磁気記憶デバイス、又は命令若しくはデータ構造形式を有し且つコンピュータによりアクセスできる想定のプログラムコードを搬送若しくは記憶するために使用できる他の媒体でもよい。しかし、これはここでは限定されない。メモリは、別個のメモリでもよく、バスを使用することによりプロセッサに接続されるか、或いはメモリは、プロセッサと統合されてもよい。
【００２８】
メモリ803は、この出願における解決策を実行するアプリケーションプログラムコードを記憶するように構成され、プロセッサ801は、この出願における解決策の実行を制御する。プロセッサ801は、メモリ803に記憶されたアプリケーションプログラムコードを実行するように構成され、それにより、バッテリ漏れ電流検査方法を実現する。
【００２９】
トランシーバのようないずれかの装置を使用する通信インターフェース804は、イーサネット、無線アクセスネットワーク(radio  access  network,  RAN)又は無線ローカルエリアネットワーク(wireless  local  area  networks,  WLAN)のような他のデバイス又は通信ネットワークと通信するように構成される。
【００３０】
バッテリ漏れ電流検査回路805は、バッテリのような電源を含み、これは、電子デバイス800の負荷のための通常の動作電圧を提供するように構成される。
【００３１】
具体的な実現方式では、いくつかの実施形態において、プロセッサ801は、図１におけるCPU0及びCPU1のような1つ以上のCPUを含んでもよい。
【００３２】
具体的な実現方式では、いくつかの実施形態において、電子デバイス800は、図１におけるプロセッサ801及びプロセッサ808のような複数のプロセッサを含んでもよい。これらのプロセッサのそれぞれは、シングルコア(single-CPU)プロセッサ又はマルチコア(multi-CPU)プロセッサでもよい。ここでのプロセッサは、データ(例えば、コンピュータプログラム命令)を処理するように構成された1つ以上のデバイス、回路及び/又は処理コアでもよい。
【００３３】
具体的な実現方式では、いくつかの実施形態において、電子デバイス800は、出力デバイス806と、入力デバイス807とを更に含んでもよい。出力デバイス806は、プロセッサ801と通信し、複数の方式で情報を表示してもよい。例えば、出力デバイス806は、液晶ディスプレイ(liquid  crystal  display,  LCD)、発光ダイオード(light  emitting  diode,  LED)ディスプレイデバイス、陰極線管(cathode  ray  tube,  CRT)ディスプレイデバイス、プロジェクタ(projector)等でもよい。入力デバイス807は、プロセッサ801と通信し、複数の方式でユーザの入力を受け取ってもよい。例えば、入力デバイス807は、マウス、キーボード、タッチスクリーンデバイス、センサデバイス等でもよい。
【００３４】
電子デバイス800は、汎用電子デバイス又は専用電子デバイスでもよい。具体的な実現方式では、電子デバイス800は、デスクトップコンピュータ、ポータブルコンピュータ、ネットワークサーバ、パーソナルデジタルアシスタント(personal  digital  assistant,  PDA)、携帯電話、タブレットコンピュータ、無線端末デバイス、通信デバイス、埋め込みデバイス、又は図１のものと同様の構造を有するデバイスでもよい。電子デバイス800のタイプは、この出願のこの実施形態では限定されない。
【００３５】
図２を参照すると、この出願のいくつかの実施形態は、バッテリ漏れ電流検査回路を提供する。当該回路は、充電チップ8051と、バッテリ8052と、電気メータ8053と、コントローラ8054と、電力アダプタ8055と、第1のスイッチ8056とを含む。
【００３６】
電気メータ8053は、バッテリ8052及びコントローラ8054に電気的に接続される。電気メータ8053は、バッテリ8052の電圧を取得し、取得されたバッテリ電圧をコントローラ8054に送信するように構成される。
【００３７】
充電チップ8051は、電子デバイスの負荷(図面に図示せず)に電気的に接続され、充電チップ8051は、バッテリ8052に電気的に接続される。充電チップ8051は、電力アダプタ8055から電力供給を受け取り、電力を負荷に供給して同時にバッテリ8052を充電するように構成される。
【００３８】
第1のスイッチ8056は、充電チップ8051、バッテリ8052及び負荷に電気的に接続される。図２を参照すると、第1のスイッチ8056がオフになったとき、バッテリ8052は、充電チップ8051及び負荷から電気的に切断される。図３を参照すると、第1のスイッチ8056がオンになったとき、バッテリ8052は、充電チップ8051及び負荷に電気的に接続される。電力アダプタ8055が充電チップ8051から電気的に切断されたとき、バッテリ8052は、電子デバイスの負荷に電気的に接続可能になり、それにより、バッテリ8052は、電力を電子デバイスの負荷に供給する。電力アダプタ8055が充電チップ8051に電気的に接続されたとき、電力アダプタ8055は、電力を電子デバイスの負荷に供給して同時にバッテリ8052を充電するために、充電チップ8051を使用してもよい。
【００３９】
図２及び図３は、等価なバッテリ内部抵抗Rb及び漏れ電流抵抗Rlを更に示す。内部抵抗Rbは、バッテリ8052が充電又は放電されるとき、熱が生成され、特定の電気エネルギーが消費されることを示すために使用され、バッテリ8052は、熱を生成する抵抗と等価である。流れる電流はIbである。漏れ電流抵抗Rlは、生成された漏れ電流に対応する抵抗である。流れる電流はIlである。
【００４０】
上記は、機能分割のみに従って第1のスイッチ8056の例を開示している点に留意すべきである。当業者は、同様の機能を有する他のスイッチ(例えば、金属酸化物半導体(metal  oxide  semiconductor,  MOS)トランジスタ)もこの出願の保護範囲に適用可能であることを理解し得る。
【００４１】
例えば、図４を参照すると、図４は、バッテリ漏れ電流検査回路805の例の概略図である。バッテリ漏れ電流検査回路は、充電チップ8051と、バッテリ8052と、電気メータ8053と、コントローラ8054と、電力アダプタ8055とを含む。充電チップ8051は、充電正電圧ピンAと、充電接地ピンBと、電源正電圧ピンCと、電源接地ピンDと、バッテリピンEと、制御ピンFとを含む。バッテリ8052は、正極Pと、負極Nとを含む。
【００４２】
MOSトランジスタスイッチQ4(ここでのMOSトランジスタスイッチQ4は、第1のスイッチ8056と等価である)が充電チップ8051に組み込まれる。MOSトランジスタスイッチQ4のゲート電極は、制御ピンFを使用することによりコントローラ8054の制御端に電気的に接続される。MOSトランジスタスイッチQ4のソース電極は、バッテリピンEを使用することによりバッテリ8052の正極Pに電気的に接続される。MOSトランジスタスイッチQ4のドレイン電極は、充電正電圧ピンA及び電源正電圧ピンCに電気的に接続される。充電チップ8051の充電正電圧ピンAは、電力アダプタ8055の正電圧出力端Gに電気的に接続され、充電チップ8051の充電接地ピンBは、電力アダプタ8055の接地出力端Hに電気的に接続され、充電接地ピンBは、電源接地ピンDに電気的に接続される。充電チップ8051の電源正電圧ピンC及び電源接地ピンDは、電力を負荷に供給するために、電子デバイス内部の負荷(図面に図示せず)に電気的に接続される。
【００４３】
コントローラ8054が、MOSトランジスタスイッチQ4のゲート電極に高レベルを提供するとき、MOSトランジスタスイッチQ4のドレイン電極及びソース電極が導通し、それにより、バッテリ8052及び充電チップ8051が電気的に接続される。図４を参照すると、電力アダプタ8055が、充電正電圧ピンA及び充電接地ピンBに接続されたとき、電力アダプタ8055は、電力を充電チップ8051に供給する。電力を伝達した後に、充電チップ8051は、電力を電子デバイス内部の負荷に供給してもよく、バッテリピンE及び電源接地ピンDを同時に使用することによりバッテリ8052を充電してもよい。図面における矢印は電流の方向である。
【００４４】
図５を参照すると、電力アダプタがピンA及び充電接地ピンBから切断されたとき、MOSトランジスタスイッチQ4はダイオードと等価である。バッテリ8052の正極Pの電圧は、ダイオードのカットオフ電圧よりも大きいので、ダイオードは自動的に導通し、それにより、電源正電圧ピンC及びバッテリピンEが導通し、バッテリ8052は、電力を電子デバイス内部の負荷に供給し、それにより、シームレスな電源切り替えを実現する。図面における矢印は電流の方向である。MOSトランジスタスイッチQ4のドレイン電極及びソース電極は、順電圧がカットオフ電圧よりも大きいので導通し、したがって、電源切り替えの間、MOSトランジスタスイッチQ4に比較的大きい電流損失が依然として存在する点に留意すべきである。コントローラ8054は、再びMOSトランジスタスイッチQ4のゲート電極のために高レベルを提供する必要があり、次いで、MOSトランジスタスイッチQ4のソース電極及びドレイン電極が自然に導通する。この場合、MOSトランジスタスイッチQ4に比較的小さい電流損失が存在する。
【００４５】
この出願のいくつかの実施形態は、上記のコントローラ8054により実行され得るバッテリ漏れ電流検査方法を提供する。図６を参照すると、当該方法は、ステップS101〜S103を含む。
【００４６】
S101.電力を電子デバイスに供給するように電力アダプタを制御し、電力を電子デバイスに供給するのを停止するようにバッテリを制御する。
【００４７】
電力故障により電子デバイスがシャットダウンされることを防止するために、電力アダプタ8055は、充電チップ8051を使用することにより、電力を電子デバイスの負荷に供給する必要がある。さらに、バッテリ8052は、充電チップ8051及び負荷から電気的に切断される必要があり、それにより、電力アダプタ8055及び電子デバイスの負荷からバッテリ8052を電気的に切断し、それにより、バッテリが自然無負荷状態(natural  unloaded  state)になる。図２を参照すると、コントローラ8054は、オフになるように第1のスイッチ8056を制御する。代替として、図７を参照すると、コントローラ8054は、低レベルをMOSトランジスタスイッチQ4のゲート電極に出力し、それにより、MOSトランジスタスイッチQ4のドレイン電極及びソース電極が遮断される。図面における矢印は電流の方向である。
【００４８】
バッテリ漏れ電流検査をトリガするための条件は、バッテリ充電が完了してバッテリの電気が一杯になった後若しくはバッテリ充電中、ユーザが現在若しくは長時間操作しない場合に電子デバイスがスタンバイ状態に入ったと決定されたとき、電力アダプタが電子デバイスに接続されて電力を電子デバイスに供給するとき、ユーザがユーザインターフェース(user  interface,  UI)を使用することによりバッテリ漏れ電流検査を実行するのを開始するためのコマンドを入力したとき、又は週、月若しくは年のような周期的間隔を含むが、これらに限定されない点に留意すべきである。
【００４９】
バッテリの電気が一杯になったとき、バッテリの正極と負極との間の電圧差は、理論的には、4.2V又は4.35Vのようなバッテリの定格電圧に到達し得る。しかし、全てのバッテリは異なる程度の自己放電を有し、時間が経過するとバッテリの放電が増加するので、バッテリの正極と負極との間の電圧差は減少する。その結果、バッテリの定格電圧に到達できない。
【００５０】
S102.電圧パラメータ及び持続時間パラメータを取得し、電圧パラメータは、2つの異なる時点におけるバッテリの電圧の間の差であり、持続時間パラメータは、2つの異なる時点の間の持続時間である。
【００５１】
例えば、バッテリ8052の第1の電圧は、電気メータ8053を使用することにより第1の時点に測定されてもよく、バッテリ8052の第2の電圧は、電気メータ8053を使用することにより第2の時点に測定されてもよい。この場合、電圧パラメータは、第1の電圧と第2の電圧との間の差であり、持続時間パラメータは、第1の時点から2番目の時点までの持続時間である。言い換えると、持続時間パラメータは、第1の時点と第2の時点との間の時間差である。代替として、例えば、電圧パラメータ及び持続時間パラメータは直接取得されてもよい。
【００５２】
S103.電圧パラメータ及び持続時間パラメータに基づいて、バッテリの漏れパラメータが予め設定された条件を満たすか否かを決定する。
【００５３】
バッテリの漏れパラメータが予め設定された条件を満たすことは、バッテリ内の漏れ電流が比較的低く、すなわち、正常範囲内であることを意味する。この場合、バッテリは正常状態で動作する。バッテリの漏れパラメータが予め設定された条件を満たさないことは、バッテリ内の漏れ電流が比較的高く、すなわち、正常範囲を超えることを意味する。この場合、バッテリが異常状態で動作する。バッテリ内部の漏れ電流が比較的高い場合、それに応じて、バッテリの単位電圧降下に必要とされる時間が予め設定された閾値未満であるか、或いは単位時間内のバッテリの電圧降下が予め設定された閾値を超える。したがって、図８を参照すると、ステップS103は、ステップS1031を具体的に含んでもよい。
【００５４】
S1031.持続時間パラメータに対する電圧パラメータの比が予め設定された閾値未満であるか否かを決定し、持続時間パラメータに対する電圧パラメータの比が予め設定された閾値未満であるとき、バッテリの漏れパラメータが予め設定された条件を満たすと決定する。
【００５５】
予め設定された閾値は、実際の状況に基づいて設定されてもよい。
【００５６】
例えば、予め設定された閾値が10mV/hourである(約30mAの電流が消費されるとき、対応する漏れ電流は約30mAある)であると仮定する。(第1の時点において)バッテリ充電が完了したとき、第1の電圧を取得するために、バッテリの正極と負極との間の電圧が測定される。1時間後(第2の時点において)、n第2の電圧を取得するために、バッテリの正極と負極との間の電圧が測定される。この場合、電圧パラメータは、第1の電圧から第2の電圧を引いたものに等しく、持続時間パラメータは、1時間である。持続時間パラメータに対する電圧パラメータの比が予め設定された閾値未満であるか否かが決定される。持続時間パラメータに対する電圧パラメータの比が10mV/hour未満であるとき、バッテリの漏れパラメータが予め設定された条件を満たし、バッテリは正常に動作すると決定される。持続時間パラメータに対する電圧パラメータの比が10mV/hourより大きいとき、バッテリ内の漏れ電流が比較的高く、バッテリの漏れパラメータが予め設定された条件を満たさず、バッテリが異常に動作すると決定される。
【００５７】
この出願のこの実施形態において提供されるバッテリ漏れ電流検査方法によれば、バッテリ内の漏れ電流を検査し、過度に高い漏れ電流のためバッテリが故障すること、例えば、発火することを防止するために、バッテリが外部電力を供給するのを停止して電力アダプタが接続されていないとき、単位時間内の電圧降下又は単位電圧降下の持続時間に基づいて、バッテリの漏れパラメータが予め設定された条件を満たすか否かが決定される。
【００５８】
この出願のいくつかの実施形態は、他のバッテリ漏れ電流検査方法を提供する。任意選択で、図９を参照すると、当該方法はステップS104を更に含む。
【００５９】
S104.電力アダプタが電力を電子デバイスに供給するのを停止したとき、バッテリを使用することにより、電力を電子デバイスに供給する。
【００６０】
同様に、このステップは、電子デバイスへの中断のない電力供給を確保し得る。詳細について、図３及び図５においてバッテリ8052が電力を電子デバイスの負荷に供給する実現方式の説明を参照する。詳細はここでは繰り返し説明しない。ステップS104は、ステップS101〜S103におけるいずれかの時間に生じてもよい点に留意すべきである。さらに、バッテリ漏れ電流検査は、バッテリの漏れパラメータが予め設定された条件を満たすか否かを決定するために検査結果が使用されないことを除き、停止又は継続してもよい。
【００６１】
任意選択で、図９を参照すると、当該方法はステップS105を更に含んでもよい。
【００６２】
S105.バッテリの漏れパラメータが予め設定された条件を満たさないと決定したとき、プロンプト情報を出力する。
【００６３】
任意選択で、プロンプト情報は、以下の情報、すなわち、音声情報、テキスト情報、画像情報、振動情報、光情報等のうち少なくとも1つを含む。例えば、ディスプレイは、テキスト情報、画像情報、光情報等を出力するように命令されてもよい。ヘッドセット、イヤホン、ラウドスピーカ等は、音声情報を出力するように命令されてもよい。振動モータは、振動情報を出力するように命令されてもよい。さらに、プロンプト情報が画像情報、テキスト情報、光情報等であるとき、プロンプト情報は、緊急度を更に強調するために点滅方式で表示されてもよい。このように、バッテリが故障している可能性があることをユーザに適時に促し、それにより、バッテリ火災のような故障を回避することにより使用の安全性を確保することが便利になる。
【００６４】
例えば、図１０を参照すると、図１０は、プロンプト情報が画像情報である例を示す。テキスト8002は、電子デバイス800のディスプレイ画面8001上に表示され、例えば、「バッテリ故障！アフターサービスセンタでの更なる検査をお勧めします」が通知されてもよい。図１１を参照すると、図１１は、プロンプト情報が画像情報である他の例を示す。バッテリ画像8003は、電子デバイス800のディスプレイ画面8001上に表示されてもよい。さらに、充電中の正常バッテリ状態とは異なり、バッテリは、赤色のような警告色で表示されてもよい。当業者は、他の画像情報を更に理解することができ、詳細はここでは説明しない。
【００６５】
任意選択で、図９を参照すると、当該方法はステップS106を更に含んでもよい。
【００６６】
S106.バッテリの漏れパラメータが予め設定された条件を満たさないと決定したとき、漏れパラメータをサーバに送信する。
【００６７】
収集された漏れパラメータは、有線又は無線方式でアップロードされてもよく、使用される通信手段は、ワイヤレスフィデリティ(Wireless-Fidelity,  WiFi)、ブルートゥース(Bluetooth,  BT)、赤外線、レーザ、音波、ジグビー(ZigBee)プロトコル等を含むが、これらに限定されない。このように、電子デバイスの製造者が電子デバイスの故障情報を収集し、それにより、故障原因を分析し、製品の性能を改善することが便利になり得る。
【００６８】
ステップS105及びS106の間に実行順序は存在しない点に留意すべきである。
【００６９】
この出願のいくつかの実施形態は、上記のバッテリ漏れ電流検査方法を実行するように構成されたバッテリ漏れ電流検査装置を提供する。この出願のこの実施形態では、バッテリ漏れ電流検査装置は、方法の例に従って機能モジュールに分割されてもよい。例えば、様々な機能に対応する様々な機能モジュールは、分割を通じて取得されてもよく、或いは2つ以上の機能が1つの処理モジュールに統合されてもよい。統合されたモジュールは、ハードウェアの形式で実現されてもよく、或いはソフトウェア機能モジュールの形式で実現されてもよい。この出願のこの実施形態におけるモジュール分割は例であり、単に論理的な分割であり、実際の実現方式では他の分割方式でもよい点に留意すべきである。
【００７０】
様々な機能に対応する様々な機能モジュールが分割を通じて取得されるとき、図１２は、上記の実施形態におけるバッテリ漏れ電流検査装置の可能な概略構造図を示す。バッテリ漏れ電流検査装置10は、制御ユニット1011と、取得ユニット1012と、決定ユニット1013と、出力ユニット1014と、送信ユニット1015とを含む。制御ユニット1011は、図６におけるプロセスS101と、図８におけるプロセスS101と、図９におけるプロセスS101及びS104を実行するように、バッテリ漏れ電流検査装置10をサポートするように構成される。取得ユニット1012は、図６におけるプロセスS102と、図8におけるプロセスS102と、図９におけるプロセスS102とを実行するように、バッテリ漏れ電流検査装置10をサポートするように構成される。決定ユニット1013は、図６におけるプロセスS103と、図８におけるプロセスS1031と、図９におけるプロセスS103とを実行するように、バッテリ漏れ電流検査装置10をサポートするように構成される。出力ユニット1014は、図９におけるプロセスS105を実行するように、バッテリ漏れ電流検査装置10をサポートするように構成される。送信ユニット1015は、図９におけるプロセスS106を実行するように、バッテリ漏れ電流検査装置10をサポートするように構成される。方法の実施形態において使用されるステップの全ての関係する内容は、対応する機能モジュールの機能説明において引用されてもよく、詳細はここでは繰り返し説明しない。
【００７１】
統合されたユニットが使用されるとき、図１３は、上記の実施形態におけるバッテリ漏れ電流検査装置の可能な概略構造図を示す。バッテリ漏れ電流検査装置10は、処理モジュール1022と、通信モジュール1023とを含む。処理モジュール1022は、バッテリ漏れ電流検査装置10の動作を制御及び管理するように構成される。例えば、処理モジュール1022は、図６におけるプロセスS101〜S103と、図８におけるプロセスS101〜S1031と、図９におけるプロセスS101〜S106を実行するように、バッテリ漏れ電流検査装置10をサポートするように構成される。通信モジュール1023は、バッテリ漏れ電流検査装置と他のエンティティとの間の通信、例えば、図６に示す機能モジュール又はネットワークエンティティとの通信をサポートするように構成される。バッテリ漏れ電流検査装置10は、バッテリ漏れ電流検査装置のプログラムコード及びデータを記憶するように構成された記憶モジュール1021を更に含んでもよい。
【００７２】
処理モジュール1022は、プロセッサ又はコントローラでもよく、例えば、中央処理装置(central  processing  unit,  CPU)、汎用プロセッサ、ディジタルシグナルプロセッサ(digital  signal  processor,  DSP)、特定用途向け集積回路(application-specific  integrated  circuit,  ASIC)、フィールドプログラマブルゲートアレイ(field  programmable  gate  array,  FPGA)若しくは他のプログラマブル論理デバイス、トランジスタ論理デバイス、ハードウェアコンポーネント、又はこれらのいずれかの組み合わせでもよい。処理モジュール1022は、この出願に開示された内容を参照して記載される論理ブロック、モジュール及び回路の様々な例を実現又は実行してもよい。代替として、プロセッサは、計算機能を実現するプロセッサの組み合わせ、例えば、1つ以上のマイクロプロセッサの組み合わせ、又はDSPとマイクロプロセッサとの組み合わせでもよい。通信モジュール1023は、トランシーバ、トランシーバ回路、通信インターフェース等でもよい。記憶モジュール1021は、メモリでもよい。
【００７３】
処理モジュール1022がプロセッサであり、通信モジュール1023がトランシーバであり、記憶モジュール1021がメモリであるとき、この出願のこの実施形態におけるバッテリ漏れ電流検査装置は、以下に説明するバッテリ漏れ電流検査装置10でもよい。
【００７４】
図１４を参照すると、バッテリ漏れ電流検査装置10は、プロセッサ1032と、トランシーバ1033と、メモリ1031と、バス1034とを含む。トランシーバ1033、プロセッサ1032及びメモリ1031は、バス1034を使用することにより相互接続される。バス1034は、周辺コンポーネント相互接続(peripheral  component  interconnect,  PCI)バス、拡張業界標準アーキテクチャ(extended  industry  standard  architecture,  EISA)バス等でもよい。バスは、アドレスバス、データバス、制御バス等に分類されてもよい。表現を容易にするために、1つのみの太線が図面においてバスを表すために使用されるが、これは1つのみのバス又は1つのみのタイプのバスが存在することを意味するのではない。
【００７５】
上記の説明は、単にこの出願の具体的な実現方式に過ぎず、この出願の保護範囲を限定することを意図するものではない。この出願に開示された技術的範囲内で当業者により容易に理解される如何なる変更又は置換も、この出願の保護範囲内に入るものとする。したがって、この出願の保護範囲は、特許請求の範囲の保護範囲に従うものとする。
【図１】
2020507063.tif 000003
【図２】
2020507063.tif 000004
【図３】
2020507063.tif 000005
【図４】
2020507063.tif 000006
【図５】
2020507063.tif 000007
【図６】
2020507063.tif 000008
【図７】
2020507063.tif 000009
【図８】
2020507063.tif 000010
【図９】
2020507063.tif 000011
【図１０】
2020507063.tif 000012
【図１１】
2020507063.tif 000013
【図１２】
2020507063.tif 000014
【図１３】
2020507063.tif 000015
【図１４】
2020507063.tif 000016
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
バッテリ漏れ電流検査方法であり、バッテリは電子デバイスに取り付けられ、電力を前記電子デバイスに供給するように構成される、方法であって、
前記電子デバイスにより、電力アダプタが電力を前記電子デバイスに供給するとき、電力を前記電子デバイスに供給するのを停止するように前記バッテリを制御するステップと、
前記電子デバイスにより、電圧パラメータ及び持続時間パラメータを取得するステップであり、前記電圧パラメータは、2つの異なる時点における前記バッテリの電圧の間の差であり、前記持続時間パラメータは、前記2つの異なる時点の間の持続時間である、ステップと、
前記電子デバイスにより、前記電圧パラメータ及び前記持続時間パラメータに基づいて、前記バッテリの漏れパラメータが予め設定された条件を満たすか否かを決定するステップと
を含む方法。
【請求項２】
前記電子デバイスにより、前記電圧パラメータ及び前記持続時間パラメータに基づいて、前記バッテリの漏れパラメータが予め設定された条件を満たすか否かを決定するステップは、
前記電子デバイスにより、前記持続時間パラメータに対する前記電圧パラメータの比が予め設定された閾値未満であるか否かを決定するステップと、
前記電子デバイスにより、前記持続時間パラメータに対する前記電圧パラメータの前記比が前記予め設定された閾値未満であるとき、前記バッテリの前記漏れパラメータが前記予め設定された条件を満たすと決定するステップと
を含む、請求項１に記載の方法。
【請求項３】
前記電子デバイスにより、前記電力アダプタが電力を前記電子デバイスに供給するのを停止したとき、電力を前記電子デバイスに供給するように前記バッテリを制御するステップを更に含む、請求項１又は２に記載の方法。
【請求項４】
前記電子デバイスにより、前記バッテリの前記漏れパラメータが前記予め設定された条件を満たさないと決定したとき、プロンプト情報を出力するステップを更に含む、請求項１乃至３のうちいずれか１項に記載の方法。
【請求項５】
前記プロンプト情報は、以下の情報、すなわち、音声情報、テキスト情報、画像情報、振動情報又は光情報のうち少なくとも1つを含む、請求項４に記載の方法。
【請求項６】
前記電子デバイスにより、前記バッテリの前記漏れパラメータが前記予め設定された条件を満たさないと決定したとき、前記漏れパラメータをサーバに送信するステップを更に含む、請求項１乃至５のうちいずれか１項に記載の方法。
【請求項７】
バッテリ漏れ電流検査装置であり、バッテリは電子デバイスに取り付けられ、電力を前記電子デバイスに供給するように構成される、バッテリ漏れ電流検査装置であって、
電力アダプタが電力を前記電子デバイスに供給するとき、電力を前記電子デバイスに供給するのを停止するように前記バッテリを制御するように構成された制御ユニットと、
電圧パラメータ及び持続時間パラメータを取得するように構成された取得ユニットであり、前記電圧パラメータは、2つの異なる時点における前記バッテリの電圧の間の差であり、前記持続時間パラメータは、前記2つの異なる時点の間の持続時間である、取得ユニットと、
前記電圧パラメータ及び前記持続時間パラメータに基づいて、前記バッテリの漏れパラメータが予め設定された条件を満たすか否かを決定するように構成された決定ユニットと
を含む装置。
【請求項８】
前記決定ユニットは、
前記持続時間パラメータに対する前記電圧パラメータの比が予め設定された閾値未満であるか否かを決定し、
前記持続時間パラメータに対する前記電圧パラメータの前記比が前記予め設定された閾値未満であるとき、前記バッテリの前記漏れパラメータが前記予め設定された条件を満たすと決定するように具体的に構成される、請求項７に記載の装置。
【請求項９】
前記制御ユニットは、前記電力アダプタが電力を前記電子デバイスに供給するのを停止したとき、電力を前記電子デバイスに供給するように前記バッテリを制御するように更に構成される、請求項７又は８に記載の装置。
【請求項１０】
前記バッテリの前記漏れパラメータが前記予め設定された条件を満たさないとき、プロンプト情報を出力するように構成された出力ユニットを更に含む、請求項７乃至９のうちいずれか１項に記載の装置。
【請求項１１】
前記プロンプト情報は、以下の情報、すなわち、音声情報、テキスト情報、画像情報、振動情報又は光情報のうち少なくとも1つを含む、請求項１０に記載の装置。
【請求項１２】
前記バッテリの前記漏れパラメータが前記予め設定された条件を満たさないとき、前記漏れパラメータをサーバに送信するように構成された送信ユニットを更に含む、請求項７乃至１１のうちいずれか１項に記載の装置。
【請求項１３】
プロセッサと、メモリと、バスとを含むバッテリ漏れ電流検査装置であって、
前記メモリは、コンピュータ実行命令を記憶するように構成され、
前記プロセッサは、前記バスを使用することにより前記メモリに接続され、
前記プロセッサは、前記メモリに記憶された前記コンピュータ実行命令を実行し、請求項１乃至６のうちいずれか１項に記載のバッテリ漏れ電流検査方法を実行する、装置。
【請求項１４】
命令を含むコンピュータ記憶媒体であって、
前記コンピュータ記憶媒体がコンピュータ上で動作するとき、前記コンピュータは、請求項１乃至６のうちいずれか１項に記載のバッテリ漏れ電流検査方法を実行する、コンピュータ記憶媒体。
【請求項１５】
電子デバイスに配置されたバッテリ漏れ電流検査回路であり、電気メータと、バッテリと、第1のスイッチと、充電チップと、コントローラとを含む検査回路であって、
前記電気メータは、前記バッテリ及び前記コントローラに電気的に接続され、前記電気メータは、前記バッテリの電圧を取得し、前記取得されたバッテリ電圧を前記コントローラに送信するように構成され、
前記充電チップは、前記電子デバイスの負荷及び前記バッテリに電気的に接続され、前記充電チップは、電力アダプタから電力供給を受け取り、電力を前記負荷に供給して前記バッテリを充電するように構成され、
前記第1のスイッチは、前記充電チップ、前記バッテリ及び前記負荷に電気的に接続され、
前記第1のスイッチがオンになったとき、前記バッテリは、前記充電チップに電気的に接続され、前記バッテリは、前記負荷に電気的に接続され、
前記第1のスイッチがオフになったとき、前記バッテリは、前記充電チップから電気的に切断され、前記バッテリは、前記負荷から電気的に切断され、
前記コントローラは、前記電力アダプタが前記充電チップを使用して電力を前記負荷に供給するとき、前記第1のスイッチをオフに制御し、前記第1のスイッチがオフになったとき、電圧パラメータ及び持続時間パラメータを取得し、前記電圧パラメータ及び前記持続時間パラメータに基づいて、前記バッテリの漏れパラメータが予め設定された条件を満たすか否かを決定し、
前記電圧パラメータは、2つの異なる時点における前記バッテリの電圧の間の差であり、前記持続時間パラメータは、前記2つの異なる時点の間の持続時間である、検査回路。
【請求項１６】
前記コントローラは、
前記持続時間パラメータに対する前記電圧パラメータの比が予め設定された閾値未満であるか否かを決定し、
前記持続時間パラメータに対する前記電圧パラメータの前記比が前記予め設定された閾値未満であるとき、前記バッテリの前記漏れパラメータが前記予め設定された条件を満たすと決定するように更に構成される、請求項１５に記載の検査回路。
【請求項１７】
前記第1のスイッチは、前記電力アダプタが前記充電チップから電気的に切断されたとき、前記バッテリが前記負荷に電気的に接続可能になるように更に構成される、請求項１５又は１６に記載の検査回路。
【請求項１８】
前記コントローラは、前記バッテリの前記漏れパラメータが前記予め設定された条件を満たさないと決定したとき、プロンプト情報を出力するように更に構成される、請求項１５乃至１７のうちいずれか１項に記載の検査回路。
【請求項１９】
前記プロンプト情報は、以下の情報、すなわち、音声情報、テキスト情報、画像情報、振動情報、光情報等のうち少なくとも1つを含む、請求項１８に記載の検査回路。
【請求項２０】
前記コントローラは、前記バッテリの前記漏れパラメータが前記予め設定された条件を満たさないと決定したとき、前記漏れパラメータをサーバに送信するように更に構成される、請求項１５乃至１９のうちいずれか１項に記載の検査回路。
【国際調査報告】
2020507063.tif 000017
2020507063.tif 000018
2020507063.tif 000019
2020507063.tif 000020